(57)【要約】【課題】電気掃除機において、回転ブラシの菌の繁殖を抑制し、また、抗菌剤の空中への飛散、床面への移行を無くすること。【解決手段】回転ブラシ２２を内蔵した吸口１８と、回転ブラシ２２の回転枠２５の周囲に配置した拭き体２１と、電動送風機１２を内包すると共にその吸引口１５に前記吸口１８を連通させる本体１１とを備え、前記拭き体２１の一部に抗菌剤３０を添加、塗布あるいは抗菌性の皮膜を設ける抗菌処理を施した電気掃除機とした。これにより、拭き体２１に付着した菌類は繁殖することが無く、床面１３に再付着することを防止することができ、また床面１３からの菌除去性能に優れ、抗菌剤を含んだ拭き体２１が摩耗することが無く、抗菌剤の空中への飛散が防止できる電気掃除機を提供できるようになる。【選択図】図１
2005087455.tif 000002
【特許請求の範囲】
【請求項１】
回転ブラシを内蔵した吸口と、前記回転ブラシの回転枠の周囲に配置した拭き体と、電動送風機を内包すると共にその吸引口に前記吸口を連通させる本体とを備え、前記拭き体の一部に抗菌剤を添加、塗布する、あるいは抗菌性の皮膜を設ける、抗菌処理をした電気掃除機。
【請求項２】
回転ブラシを内蔵した吸口と、前記回転ブラシの回転枠の周囲に配置した拭き体と、電動送風機を内包すると共にその吸引口に前記吸口を連通させる本体とを備え、前記拭き体に複数の異なった抗菌剤を添加、塗布する、あるいは複数の異なった抗菌性の皮膜を設ける、抗菌処理をした電気掃除機。
【請求項３】
拭き体の根元部分にのみ抗菌処理をした請求項１又は２に記載の電気掃除機。
【請求項４】
拭き体は、短、長２種類の糸を有し、短い糸にのみ抗菌処理をした請求項１又は２に記載の電気掃除機。
【請求項５】
拭き体は、軟、剛２種類の糸を有し、軟らかい糸にのみ抗菌処理をした請求項１又は２に記載の電気掃除機。
【請求項６】
拭き体の内、回転ブラシの回転方向に対し、後ろ側に位置する部分にのみ抗菌処理をした請求項１又は２に記載の電気掃除機。
【請求項７】
拭き体の一部が接触する静電プレートを吸口に設けた請求項１〜６のいずれか１項に記載の電気掃除機。
【請求項８】
静電プレートに接触する拭き体の部分には抗菌処理を施さない請求項７記載の電気掃除機。
【請求項９】
静電プレートに抗菌処理をした請求項８記載の電気掃除機。
【請求項１０】
回転ブラシを内蔵した吸口と、前記回転ブラシの回転枠の周囲に配置した起毛布で構成した拭き体と、電動送風機を内包すると共にその吸引口に前記吸口を連通させる本体とを備え、前記起毛布のベース材に抗菌剤を添加、塗布する、あるいは抗菌性の皮膜を設ける、抗菌処理をした電気掃除機。
【発明の詳細な説明】
【技術分野】
【０００１】
本発明は、電動送風機を内包した吸引型の家庭用の電気掃除機の特に抗菌処理に関するものである。
【背景技術】
【０００２】
従来、この種の電気掃除機は、本体、ホース、延長管、吸口（床ノズル）等に抗菌処理しているものが一般的である（例えば、特許文献１参照）。
【特許文献１】特開平６−９８８３９号公報
【発明の開示】
【発明が解決しようとする課題】
【０００３】
そして、今年に入ってから、吸口に内蔵された回転ブラシそのものに抗菌処理を施した電気掃除機が、複数の電気メーカーから商品化され、提案されている。この種の電気掃除機を用いれば、床面から塵埃と共に除去された菌類が回転ブラシに付着残存した場合でも繁殖が抑制され、床面に菌が再付着することが防止できる。しかし反面、回転ブラシが床面と摩擦する際に回転ブラシが磨耗し抗菌剤を含んだ磨耗紛が空中に飛散する可能性や、床面に抗菌成分が移行する可能性がある。特に回転ブラシの表面に抗菌剤を塗膜する構成の場合は、これらのことが発生しやすい。そのためあまり強力な抗菌剤は使用することが難しくその抗菌効果は小さいのが現状である。一般的に回転ブラシを構成する糸は樹脂製が多く塵埃を除去するのに効率の良い形状、材質に多くの工夫がなされている。一方、糸に抗菌処理する際には、樹脂の安定剤や添加剤に抗菌材を添加することが多く、硬さ、表面状態などが変化し塵埃を除去するのに特化設計した糸と同様の性能を持たせることは難しい。もちろん抗菌処理するため抗菌剤のコストが加わることも事実である。
【０００４】
本発明は、前記従来の課題を解決するもので、回転ブラシでの菌の繁殖を抑制し、床面からの塵埃除去性能は維持し、また抗菌剤の空中への飛散、床面への移行を無くし、費用を抑えた電気掃除機を提供することを目的とする。
【課題を解決するための手段】
【０００５】
前記従来の課題を解決するために本発明の電気掃除機は吸口に内蔵された回転ブラシの回転枠の周囲に配置した拭き体の一部に抗菌処理を施したものである。
【０００６】
これによって、拭き体に付着した菌類が不活化され、床面などへ再付着することを防ぎ床面などに菌が繁殖することを防ぐと同時に抗菌剤が空中に飛散、あるいは床面に移行することが防止できる。
【発明の効果】
【０００７】
本発明の電気掃除機は、床面などへの菌の再付着を防止し、床面の菌の繁殖を防止することができる。又、抗菌剤が空中に飛散、あるいは床面に移行することを防止できる。
【発明を実施するための最良の形態】
【０００８】
第一の発明は、回転ブラシを内蔵した吸口と、前記回転ブラシの回転枠の周囲に配置した拭き体と、電動送風機を内包すると共にその吸引口に前記吸口を連通させる本体とを備え、前記拭き体に複数の異なった抗菌剤を添加、塗布する、あるいは複数の異なった抗菌性の皮膜を設ける等の、抗菌処理を施した電気掃除機とすることにより、拭き体に付着した菌類は繁殖することが無く、床面に再付着することを防止することができ床面からの菌除去性能に優れ、抗菌剤を含んだ拭き体が摩耗することが無く抗菌剤の空中への飛散が防止できる。
【０００９】
第二の発明は、回転ブラシを内蔵した吸口と、前記回転ブラシの回転枠の周囲に配置した拭き体と、電動送風機を内包すると共にその吸引口に前記吸口を連通させる本体とを備え、前記拭き体に複数の異なった抗菌剤を添加、塗布する、あるいは複数の異なった抗菌性の皮膜を設ける等の、抗菌処理を施した電気掃除機とすることにより、拭き体の各部に適当な抗菌剤が配置でき、より抗菌性能の高い、床面からの菌除去性能に優れた電気掃除機をじつげんできる。
【００１０】
第三の発明は、特に、第１または第２の発明の拭き体の根元部分にのみ抗菌処理した構成とすることにより、拭き体の床面に接する部分は抗菌処理がされていないため、よりすぐれた塵埃除去性能と、耐久性が実現できる。
【００１１】
第四の発明は、特に、第１または第２の発明の拭き体が、長短２種類の糸を有し、短い糸にのみ抗菌処理をした構成とすることにより、抗菌処理をした部分が床面に接触しにくくなり、よりすぐれた塵埃、菌除去性能と耐久性が実現できる。
【００１２】
第五の発明は、特に、第１または第２の発明の拭き体が、軟、剛２種類の糸を有し、軟らかい糸にのみ抗菌処理をした構成とすることにより、抗菌処理をした部分が床面に接触しにくくなり、よりすぐれた塵埃、菌除去性能と耐久性が実現できる。
【００１３】
第六の発明は、特に、第１または第２の発明の拭き体の内、回転ブラシの回転方向に対し、後ろ側に位置する部分にのみ抗菌処理をした構成とすることにより、抗菌処理をした部分が床面に接触しにくくなり、よりすぐれた塵埃、菌除去性能と耐久性が実現できる。
【００１４】
第七の発明は、特に、第１から第６の何れか１つの発明の拭き体の一部が接触する静電プレートを、吸口に設けた構成とすることにより、菌類が静電気の働きで吸着除去できよりすぐれた、塵埃、菌除去性能が実現できる。
【００１５】
第八の発明は、特に、第７の発明の静電プレートに接触する拭き体の部分には抗菌処理を施さない構成とすることにより、抗菌剤の影響で静電気発生に悪影響を及ぼすことがなく、より塵埃、菌除去性能が実現できる。
【００１６】
第九の発明は、特に、第８の発明の静電プレートに抗菌処理を施すことにより、静電プレートに菌が繁殖することを防止し、拭き体を経由して床面に菌が移行すること防止できる。
【００１７】
第１０の発明は、回転ブラシを内蔵した吸口と、前記回転ブラシの回転枠の周囲に配置した起毛布で構成した拭き体と、電動送風機を内包すると共にその吸引口に前記吸口を連通させる本体とを備え、前記起毛布のベース材に抗菌剤を添加、塗布する、あるいは抗菌性の皮膜を設ける、抗菌処理をした電気掃除機とすることにより、拭き体の根元部分での抗菌性能が良くなり、拭き体を経由しての菌類の再付着が防止できよりすぐれた菌、塵埃除去性能が実現できる。
【００１８】
以下、本発明の実施の形態について図面を参照しながら説明する。なお、本実施の形態によって本発明が限定されるものではない。
【００１９】
（実施の形態１）
図１は本発明の第１の実施形態における電気掃除機の全体図を示すものである。
【００２０】
図１において、電動送風機１２を内蔵した掃除機本体１１の吸引口１５と電動送風機の吸気口１２ａの間には集塵室１４が設けられている。吸引口１５にはホース１６、延長管１７が接続され、延長管１７の先端に床面１３の塵埃を吸引清掃する吸口１８が接続されている。図２に吸口１８の断面図を、図３に吸口１８を開口部２０側からみた図を示す。床面１３に面した開口部２０と延長管１７に連通接続する接続部１９で構成され、吸口１８の内部には複数の糸２８により構成されたブラシ状の拭き体２１を回転枠２５の周囲に配置した回転ブラシ２２が内蔵されている。
【００２１】
モータ２３は回転ブラシ２２の回転枠２５に内包され、固定子側２３ａは吸口１８の外殻１８ａに固定され、回転軸２３ｂは減速器（図示せず）を介して回転枠２５に接続され回転ブラシ２２を回転駆動する。回転枠２５には起毛布２６で作られたブラシ状の拭き体２１が取り付けられている。起毛布で作られたブラシ状の拭き体２１は図４で示すように布でできたベース材２７に多数の糸２８を植え付け構成している。糸２８の一端２８ａがベース材２７に縫い付けられ、接着剤２９などでベース材に固着されている。切り揃えられた他端２８ｂは床面に接触する構成となっている。
【００２２】
図５は起毛布で作られた拭き体２１を回転ブラシ２２のケース２５に取り付ける構造を示す拡大図であり、回転枠２５の外周に溝部２５ａを設けこの溝部２５ａに起毛布でできた拭き体２１のベース材２７を挿入することに取り付けている。
【００２３】
図６で示すように、本実施の形態では拭き体２１を構成する起毛布の糸２８の根元２８ｃすなわち、回転枠２５に近い部分にのみ抗菌剤３０を塗布あるいは皮膜を施している。
【００２４】
以上のように構成された電気掃除機について以下その動作、作用を説明する。
【００２５】
まず、電気掃除機を駆動すると、電動送風機１２の吸引力により、吸口１８から床面１３の塵埃が吸い込まれ、塵埃は集塵室１４で分離蓄積される。このとき回転ブラシ２２は矢印３１の方向に回転し、拭き体２１を構成する糸２８が床面１３を拭きあるいは掃き、床面１３の上に付着した塵埃を床面１３から剥がし吸引を簡単にする。床面１３には塵埃と共にカビなどの菌が在りこれらの菌も塵埃と共に除去され吸引される。菌類の一部は回転ブラシ２２に付着する。図７で示すように、特に拭き体２１の根元部分２８Ｃや、糸２８の束の内側部分２８ｄは床面１３と接触する機会が少なく塵埃３２が付着残存しやすい。これら残存した塵埃３２に付着した菌類は条件次第で繁殖し、再び床面１３、特に絨毯上を掃除する際に床１３へ再付着する可能性がある。
【００２６】
本実施の形態では拭き体２１を構成する糸２８の根元部分２８ｃの表面にのみ抗菌剤３２が塗膜されており、拭き体２１の根元部分２８ｃに残存した菌類は糸２８の表面に塗膜した抗菌剤３２の効果で菌類の繁殖が抑制される。床面１３と接触するのは主として抗菌処理していない先端の部分２８ｂであり、床面１３との摩擦により磨耗しても抗菌剤が空中に飛散することはなく、又抗菌剤が床面１３に移行することも無い。絨毯などでは根元部分２８ｃが絨毯の毛と接触することもあるが木床など硬質な床面に比べ絨毯の毛は柔らかく、根元部分２８ｃに塗膜した抗菌剤３２が剥がれ抗菌剤３２が飛散することは無い。このように根元部分２８ｃに塗膜した抗菌剤３２は磨耗飛散する可能性が少ないため比較的強力な抗菌剤の選択ができ抗菌性能を高くすることができる。
【００２７】
図８のように糸２８の根元部分２８ｃは強力な抗菌剤３０ａ、中間部分２８ｅは抗菌効果は劣るが安全な抗菌剤３０ｂ、先端部分２８ｂは抗菌処理無し。あるいは図９で示すように安全性の高い抗菌剤３０ｃを糸２８全体に含浸添加し、比較的強力な抗菌剤３０ａを根元付近２８ｃの表面に塗膜するなど、一本の糸に数種の抗菌処理を施すことによりよりすぐれた抗菌効果を得ることも可能である。図１０で示すように糸２８を束ねて製作した拭き体２１を回転ブラシ２２の回転枠２５に設けた穴２５ｂに挿入固着して構成した回転ブラシでは起毛布と違い糸自身を独立して製造できるため、糸２８自身に含浸添加する抗菌剤の密度を根元付近は高く、先端付近は薄くするような構成も可能になる。又穴２５ｂに抗菌剤を充填したり、糸２８を根元付近で束ねるために用いる固定材３５に抗菌剤を含浸することも可能である。
【００２８】
（実施の形態２）
図１１は本発明の第２の実施形態における電気掃除機の拭き体２１を構成する糸３８を示すものである。その他の構成は実施の形態１と同様であり同番号を付してその説明を省略する。
【００２９】
拭き体２１は長短２種類の糸３８ａ、３８ｂにより構成されており、図１１（ａ）の外側が長い糸３８ａ、内側に短い糸３８ｂを配置した例、図１１（ｂ）のその逆に内側に長い糸３８ａ、外側に短い糸３８ｂを配置した例、図１１（ｃ）の短い糸３８ｂと長い糸３８ａをランダムに配置した例などが構成として可能である。
【００３０】
長い糸３８ａは床面１３にある塵埃をかきあげるのに適した形状、材質を有しており、短い糸３８ｂには表面に抗菌剤の塗膜を施した抗菌処理がなされている。本例では長い糸３８ａを清掃糸、短い糸３８ｂを抗菌糸と呼ぶ。
【００３１】
拭き体２１の根元部分２８ｃに残存した菌類は抗菌処理した抗菌糸３８ｂと接触する可能性が大きく、表面に塗膜した抗菌剤の効果で菌類の繁殖が抑制される。床面１３と接触するのは主として抗菌処理していない清掃糸３８ａであり床面１３との摩擦により磨耗しても抗菌剤が空中に飛散することはなく、又抗菌剤が床面１３に移行することも無い。
【００３２】
又清掃糸３８ａに関しては、糸自身の特性に抗菌剤の影響を受けることが無く、床面１３の塵埃の除去に最適な形状材質を選択できる。抗菌処理した抗菌糸３８ｂは木床などでは床面１３とほとんど接触せず、抗菌剤が剥がれ飛散することは無い。絨毯などでは短い糸３８ｂが絨毯の毛と接触し絨毯の表面の塵埃除去に寄与するが絨毯の毛は柔らかく、短い糸３８との摩擦で抗菌剤が飛散することは無い。短い糸の表面に塗膜した抗菌剤に関しては磨耗飛散する可能性が少ないため比較的強力な抗菌剤の選択ができる。
【００３３】
図１２で示す拭き体２１は、表面に抗菌剤を塗布した抗菌糸４３ａの周囲に抗菌処理されていない塵埃除去性能の良い清掃糸４３ｂを配置した例である。表面に銀等の抗菌材を塗布すれば表面積が大きくでき、抗菌性能が良くなるが床面１３との摩擦などにより剥がれやすい欠点がある。この例では抗菌剤を塗布した抗菌糸４３ａの周囲を塵埃除去特性に優れた清掃糸４３ｂが配置されているため、床面１３からの塵埃除去に関しては充分な性能が得られ、糸の表面に付着した塵埃、あるいは糸間に挟まった塵埃などに付着した菌類には抗菌糸４３ａの抗菌剤が作用しその繁殖が抑制される。図１２（ａ）で示すように、床面１３と主として接触するのは清掃糸４３ａであり、抗菌糸４３ａは清掃糸４３ａの内側に囲まれているため床面１３への直接の接触機会がへり表面に塗膜した抗菌剤が保護され、抗菌剤の空中への飛散、床面への移行は軽減される。
【００３４】
図１３で示す拭き体２１は、抗菌処理した剛性の小さな軟らかい糸すなわち抗菌糸５０ｂと、抗菌処理をしていない剛性の大きな糸すなわち清掃糸５０ａを混在させ拭き体２１を構成した例であり、図１３（ａ）の抗菌糸５０ｂと清掃糸５０ａをランダムに配置した例、図１３（ｂ）の清掃糸５０ａ外側に抗菌糸５０ｂを配置した例、図１３（ｃ）の抗菌糸５０ｂの外側に清掃糸５０ａを配置した例などが可能である。
【００３５】
剛性の大きな清掃糸５０ａは床面１３の塵埃を除去するのに有効な形状材質が選択されており、塵埃に付着した菌類は軟らかい抗菌糸５０ｂの表面に塗膜された抗菌材の働きで繁殖することが抑制される。
【００３６】
図１３（ｃ）では抗菌糸５０ｂの周囲に清掃糸５０ａが配置されているため、床面１３と主として接触するのは清掃糸５０ｂであり、又図１３（ａ）、図１３（ｂ）でも軟らかい抗菌糸５０ａは床面１３と接触しても大きな力が働かず、抗菌糸５０ｂが床面１３との摩擦により摩耗し、含浸、あるいは表面に塗膜された抗菌剤が飛散、あるいは床面１３に移行することは少ない。又、床面１３の塵埃除去性能は主として清掃糸５０ａにより決まるため、抗菌糸５０ｂは摩耗しにくい、抗菌剤がはがれにくいなどを狙いとした材質、形状を選定できる。
【００３７】
図１４で示す拭き体２１は、構成する起毛布が２列の糸の束に別れており、矢印３１で示す回転方向に対し前側の列の糸は抗菌処理をしていない床面１３からの塵埃の除去性能に優れた清掃糸５３ａ、回転方向に対し後側の糸５３ｂを抗菌処理を施した抗菌糸５３ｂで構成した例である。
【００３８】
清掃糸５３ａの材質、剛性などは床面１３の塵埃などを除去するのに適した構成を有しており、抗菌糸５３ｂは表面に抗菌剤が塗膜、あるいは抗菌剤を含浸してある。床面１３から除去された塵埃は床面１３と接触する機会の小さい糸の束の内側、あるいは後ろ側に残存しやすく、菌も繁殖しやすい。本例では、菌などが繁殖しやすい糸の束の内側あるいは後部に抗菌糸５３ｂが配置されているため、この抗菌剤の効果により菌などの繁殖が抑制される。又、この後ろ側の抗菌糸５３ｂは床面１３と直接、強く接触することが少なく表面に塗布した抗菌剤が剥がれ、あるいは抗菌剤を含浸した糸自身が磨耗し抗菌剤が空中に飛散することが少なく、長時間その効果が持続する。図１５に示すように後側の糸すなわち抗菌糸５３ｂを若干短めにしてかつ剛性を大きくすると前側の清掃糸５３ａの見かけの剛性が大きくなり床面１３を掃く力が大きくなり塵埃除去性能が向上することが知られている。
【００３９】
又同様の効果を目的として、一本の糸に２種類以上の抗菌剤を添加、塗布することも可能である。例えば安全性の高い抗菌剤を添加し、比較的強力な抗菌剤を根元付近に塗布する構成である。
【００４０】
（実施の形態３）
図１６は本発明の第３の実施形態における電気掃除機の吸口１８を示すものである。その他の構成は実施の形態１と同様であり同番号を付してその説明を省略する。
【００４１】
吸口１８の前側壁６１の内側には静電プレート６２が設置され、回転ブラシ２２の拭き体２１と接触し、静電気を発生させ床面１３の塵埃を静電吸着、あるいは除電し床面１３からの塵埃除去性能を良くする構成を有している。静電プレート６２、拭き体２１の材質に関しては、たとえば静電プレート６２にテフロン（Ｒ）、拭き体２１にはナイロンというように静電順列が大きく離れて静電気の発生しやすい組み合わせが選ばれる。このような構成で拭き体に抗菌処理をするために銀、亜鉛などの金属系の材質を添加するとナイロンの帯電順位が大きくマイナス側に変化し静電気の発生量に影響を与える。
【００４２】
本実施の形態では拭き体２１は、図１７で示すように、複数の糸の束からなる起毛布で構成され、回転方向に対し前側の列の清掃糸６３ａは抗菌処理をせず床面からの塵埃の除去性能に優れ、しかも静電プレート６２に対し静電順列の離れたナイロンなどの材質で構成し、銀、亜鉛などの抗菌剤を表面に塗膜し抗菌処理を施した抗菌糸は若干短めにして回転方向に対して後ろ側に配置してある。
【００４３】
このようにすれば抗菌糸は静電プレートと接触する機会は少なく、静電順列を考慮せず材質を選定でき、銀、亜鉛などを主体とした抗菌剤をその表面に塗膜、あるいは全体に含浸することができ、抗菌性能と静電気による塵埃除去性能を両立させることができる。
【００４４】
又、静電プレートに抗菌剤を含浸させれば静電プレートに付着した菌が静電プレート上で繁殖することが抑制できる。静電プレートに銀、亜鉛などの金属系の抗菌剤を含浸しても、帯電順位が大きく変化することは無く静電気発生に大きな影響は与えない。
【００４５】
（実施の形態４）
図１８は本発明の第４の実施形態における拭き体７０を示すものである。その他の構成は実施の形態１と同様であり同番号を付してその説明を省略する。
【００４６】
図１８において、拭き体は７０、抗菌処理したベース材７１に抗菌処理をされていない糸７８を植え付けることにより構成されている。ベース材７１には液体状の抗菌剤を含浸させており、抗菌剤７２は糸７８の表面へにじみ出し、特に糸の根元７８ａ近くに付着した塵埃へ移行し、塵埃に付着した菌類の繁殖を抑制する。抗菌材は糸間の微小な隙間へ滲み出すため糸の先端７８ｂまで抗菌剤７２が届くことは無く床面１３に抗菌剤７２が移行することも又空中に飛散することも少ない。糸には抗菌処理がされていないため、その材質形状は床面１３の塵埃除去性能を良くするように自由に選択することができ塵埃の除去性能にすぐれた構成が実現できる。より抗菌性能をよくする目的で糸７８に抗菌処理することもできる。
【００４７】
なお、本文中用いた抗菌剤は除菌剤、制菌剤、殺菌剤の部類であっても構わない。
【産業上の利用可能性】
【００４８】
以上のように本発明にかかる電気掃除機は床面からの菌除去性能の向上が可能になるので、布団、家具、食器、人体や動物の毛髪、皮膚の衛生状態を良好に保つ手段にも適用できる。
【図面の簡単な説明】
【００４９】
【図１】本発明の実施の形態１における電気掃除機の一部断面図
【図２】同、吸口部分の一部断面図
【図３】同、吸口部分を開口部からみた一部断面図
【図４】（ａ）同、拭き体の正面図（ｂ）同、拭き体の平面図（ｃ）同、拭き体の側面図
【図５】同、拭き体の取り付け部分の拡大断面図
【図６】（ａ）同、拭き体の拡大図（ｂ）同、糸の拡大図
【図７】（ａ）同、拭き体の側面図と塵埃を示す図（ｂ）同、平面図
【図８】（ａ）同、他の構成例を示す拭き体の拡大図（ｂ）同、糸の拡大図
【図９】同、他の構成例を示す糸の拡大図
【図１０】（ａ）同、他の構成例を示す回転ブラシの拡大図（ｂ）同、拭き体部分の拡大図
【図１１】（ａ）本発明の実施の形態２における拭き体の構成例を表す図（ｂ）同、他の構成例を表す図（ｃ）同、他の構成例を表す図
【図１２】（ａ）同、他の構成例の拭き体が床面を清掃時の図（ｂ）同、拭き体の平面図（ｃ）同、糸部分の拡大図
【図１３】（ａ）同、他の拭き体の構成例を示す図（ｂ）同、他の拭き体の構成例を示す図（ｃ）同、他の拭き体の構成例を示す図
【図１４】（ａ）同、他の拭き体の構成例と床面の関係を示す図（ｂ）同、拭き体部分の拡大図
【図１５】（ａ）同、他の拭き体の構成例と床面の関係を示す図（ｂ）同、断面図
【図１６】（ａ）本発明の実施の形態３における吸口の静電プレート部の拡大図（ｂ）同、同吸口の断面図
【図１７】同拭き体の拡大図
【図１８】本発明の実施の形態４における吸口の拭き体の拡大図
【符号の説明】
【００５０】
１１  掃除機本体
１２  電動送風機
１５  吸引口
２１、７０  拭き体
２２  回転ブラシ
２５  回転枠
２８、３８、４３  糸
２８ｃ  根元部分
３０  抗菌剤
３８ａ  長い糸（清掃糸）
３８ｂ  短い糸（抗菌糸）
４３ａ  剛い糸（清掃糸）
４３ｂ  軟らかい糸（抗菌糸）
５３ｂ  後ろ側の糸（抗菌糸）
６２  静電プレート
７１  ベース材
【図１】
2005087455.tif 000003
【図２】
2005087455.tif 000004
【図３】
2005087455.tif 000005
【図４】
2005087455.tif 000006
【図５】
2005087455.tif 000007
【図６】
2005087455.tif 000008
【図７】
2005087455.tif 000009
【図８】
2005087455.tif 000010
【図９】
2005087455.tif 000011
【図１０】
2005087455.tif 000012
【図１１】
2005087455.tif 000013
【図１２】
2005087455.tif 000014
【図１３】
2005087455.tif 000015
【図１４】
2005087455.tif 000016
【図１５】
2005087455.tif 000017
【図１６】
2005087455.tif 000018
【図１７】
2005087455.tif 000019
【図１８】
2005087455.tif 000020